(57)【要約】  【課題】  簡易な構造でドライアップを回避できる筆記具を提供する。  【解決手段】  開口部１ａの内側面に円弧面１１が形成された第１の外筒１、第１の外筒１内で移動自在に設けられ一端にペン先部７ａを有する筆記部材７、筆記部材７の移動に連動して上記円弧面に沿って移動し開口部１ａを開閉するシャッター部材３、筆記部材７とシャッター部材３とを連結するギア機構を有する筆記具である。筆記部材７が開口部１ａ側に移動する際に、ギア機構を介してシャッター部材３が円弧面１１に沿って移動して開口部１ａが開き、ペン先部７ａが開口部１ａから第１の外筒１の外側に出る。  【選択図】  図１
2005246889.tif 000002
【特許請求の範囲】
【請求項１】
一端に開口部を有し且つ前記開口部の内側面に円弧面が形成された筒体と、
前記筒体内において軸長方向に移動自在に設けられ且つ一端にペン先部を有する筆記部材と、
前記筆記部材の移動に連動して前記円弧面に沿って移動し前記開口部を開閉するシャッター部材と、
前記筒体の他端側に設けられたノック部材を有してなり前記ノック部材によって前記筆記部材を前記軸長方向に移動させるノック式移動機構と、
前記筆記部材と前記シャッター部材とを連結するギア機構とを有してなり、
前記ノック部材を前記軸長方向において前記開口部側へ移動することで、前記筆記部材が連動して前記開口部側に移動し、この筆記部材の移動により、前記ギア機構を介して前記シャッター部材が前記円弧面に沿って移動して前記開口部が開くと共に、前記ペン先部が前記開口部から前記筒体の外側に出る、ことを特徴とする筆記具。
【請求項２】
前記ギア機構が、前記筆記部材と前記シャッター部材との間に設けられたラック部材と、前記筆記部材に形成された第１のラック部と、前記ラック部材に形成された第２のラック部、前記第１のラック部と前記第２のラック部との間に設けられ前記第１のラック部の動きを前記第２のラック部に伝達する回転ギア部と、前記ラック部材に形成された第３のラック部と、前記シャッター部材に形成されると共に前記第３のラック部に噛み合わされた第４のラック部とを有してなる、ことを特徴とする請求項１記載の筆記具。
【請求項３】
前記シャッター部材の前記円弧面に沿って移動する部分において前記開口部側の面が前記筒体の円弧面に対応する曲面となっている、ことを特徴とする請求項１または２記載の筆記具。
【請求項４】
前記シャッター部材の内側にシャッター押さえ部材を設けられており、前記シャッター部材が前記円弧面に沿って移動するように前記シャッター押させ部材によって前記シャッター部材の前記移動の方向を規制する、ことを特徴とする請求項１から３のいずれかに記載の筆記具。
【請求項５】
前記ラック部材に突起を設けられており、
前記シャッター部材が前記開口部を閉じた状態において前記突起により前記シャッター押さえ部材を前記開口部側に押圧することで、前記シャッター押さえ部材によって前記シャッター部材を前記開口部側に押圧して前記シャッター部材を前記開口部に密着させる、ことを特徴とする請求項４記載の筆記具。
【発明の詳細な説明】
【技術分野】
【０００１】
本発明は筆記具に関し、特に、サインペンやマーカーなどの揮発性のインクを用いる筆記具に有用な筆記具に関する。
【背景技術】
【０００２】
筆記具としては種々のものが知られている。例えば、ペン先部などを含む筆記部材を筒体に内蔵し、この筒体の一端に配したノック部材を押圧することで、ペン先部を筒体の他端より出没させる、所謂ノック式の筆記具は便利な筆記具として従来より用いられている。
【０００３】
上記のようなノック式の筆記具としては、例えば、特開平８−７２４７０号公報や特許第３２２１６５６号公報などに開示されたものがある。これら従来例の筆記具では、外側の筒体の内側に細径の筒状体を設け、筆記部材のペン先部が筒体内に入った状態、つまり筆記具を使用しない状態において、この筒状体内にペン先部を収納する構造としている。
【発明の開示】
【発明が解決しようとする課題】
【０００４】
ところで、筆記具としてサインペンやマーカーなどの、インクが揮発（蒸発や気化）し易い溶剤を含むものの場合、筆記具がドライアップするという問題がある。これは、使用の際などに筆記具のペン先部が空気中に置かれた場合、インク中の溶剤が空気中に揮発してペン先部が乾燥し、筆記具としての使用が困難になる状態を指す。このようなドライアップを防止するため、これらサインペンやマーカーなどでは、使用しない場合には筆記具の先端のペン先部にキャップを被せてペン先部の乾燥を防止する構造が多く採用されている。
【０００５】
ところが、このようなキャップを用いた構造では、使用後にキャップをし忘れることが多く、あるいは閉めたつもりでキャップの装着が不十分であることも多い。この場合、筆記具がドライアップして使用不能となったり、インクが出難くなるなどの問題が生じる。
【０００６】
ここで、筆記具がノック式であれば、使用後にノック部材を操作して直ちにペン先部を覆うことができるので、この種のドライアップは著しく低減することが可能である。しかしながら、従来技術のノック式筆記具の多くは、シャープペンやボールペンなどのドライアップがない筆記具が主に対象であり、この構造をサインペンやマーカーなどの揮発し易いインクを用いた筆記具に適用することは困難である。
また従来例では、ペン先部からの揮発を防止するために複雑な構造を採用したものもある。しかしながら、この種の従来の構造は複雑である故にコスト高となることから、これを安価なサインペンやマーカーなどに適用することは難しい。
【０００７】
また、日常生活において片手が塞がった状態で他方の手でメモをする機会は多く、これはサインペンやマーカーなどでも同様であり、例えばサインペンやマーカーなどでアンダーラインを引く場合などは特にその必要性が高い。このため、これらサインペンやマーカーなどにおける片手操作の必要性や要望は大きい。
【０００８】
そこで、本発明は、簡易な構造で上記のドライアップを回避できるノック式の筆記具を提供することを課題とする。
【課題を解決するための手段】
【０００９】
本発明の筆記具は、一端に開口部を有し且つ前記開口部の内側面に円弧面が形成された筒体と、前記筒体内において軸長方向に移動自在に設けられ且つ一端にペン先部を有する筆記部材と、前記筆記部材の移動に連動して前記円弧面に沿って移動し前記開口部を開閉するシャッター部材と、前記筒体の他端側に設けられたノック部材を有してなり前記ノック部材によって前記筆記部材を前記軸長方向に移動させるノック式移動機構と、前記筆記部材と前記シャッター部材とを連結するギア機構とを有してなる。そして、前記ノック部材を前記軸長方向において前記開口部側へ移動することで、前記筆記部材が連動して前記開口部側に移動し、この筆記部材の移動により、前記ギア機構を介して前記シャッター部材が前記円弧面に沿って移動して前記開口部が開くと共に、前記ペン先部が前記開口部から前記筒体の外側に出る、構成となっている。ここで、シャッター部材が筒体の開口部を閉じた状態において、シャッター部材の少なくとも開口部に当接ないし接触する部分に軟質材料層を設けることで、シャッター部材と開口部との密着性が高まり、シャッター部材による開口部の密閉度がさらに高めることができる。
【００１０】
好ましい実施形態では、前記ギア機構が、前記筆記部材と前記シャッター部材との間に設けられたラック部材と、前記筆記部材に形成された第１のラック部と、前記ラック部材に形成された第２のラック部、前記第１のラック部と前記第２のラック部との間に設けられ前記第１のラック部の動きを前記第２のラック部に伝達する回転ギア部と、前記ラック部材に形成された第３のラック部と、前記シャッター部材に形成されると共に前記第３のラック部に噛み合わされた第４のラック部とを有して構成される。この構成とすることで、直線運動をする筆記部材の動きを回転ギア部により直線運動をするラック部材に伝達すると共に、このラック部材の動きをシャッター部材に伝達することができる。これにより、筆記部材の移動をスムーズにシャッター部材に伝えることができ、シャッター部材に連動させてシャッター部材により開口部を開閉をスムーズに行うことができる。
【００１１】
また、前記シャッター部材の前記円弧面に沿って移動する部分において前記開口部側の面が前記筒体の円弧面に対応する曲面とすることが好ましい。これにより、シャッター部材を筒体の開口部の内側において円弧面に沿ってスムーズに移動させることができる。
【００１２】
さらに、前記シャッター部材の内側にシャッター押さえ部材を設け、前記シャッター部材が前記円弧面に沿って移動するように前記シャッター押させ部材により前記シャッター部材の前記移動の方向を規制する構成とすることが好ましい。この構成により、シャッター部材の動きをよりスムーズに行うことができる。
【００１３】
さらに、前記ラック部材に突起を設け、前記シャッター部材が前記開口部を閉じた状態において前記突起により前記シャッター押さえ部材を前記開口部側に押圧する構成とすることが好ましい。この構成とすることで、前記シャッター押さえ部材によって前記シャッター部材を前記開口部側に押圧して前記シャッター部材が前記開口部に密着するようになる。これにより、シャッター部材と開口部との密着度が高まり、シャッター部材により筒体の開口部を閉じた状態におけるインクの揮発をより確実に防止できる。
【発明の効果】
【００１４】
本発明の筆記具では、ノック部材の動きに連動する筆記部材の移動によってギア機構を介してシャッター部材を開閉する構成とすると共に、開口部の円弧面に沿ってシャッター部材を移動させることで、簡易な構造でドライアップを防止できる筆記具を提供できる。
【発明を実施するための最良の形態】
【００１５】
以下に本発明の実施形態を添付図面を参照しつつ説明する。
図１は実施形態の筆記具を例示したものである。この筆記具は、第１の外筒１、第２の外筒、シャッター部材３、シャッター押さえ部材４、ラック部材５、回転ギア部材６、筆記部材７、中間シーリング部材８、内筒部材９、タンク部材１０、バネ部材１１、ロックレバー部材１２、蛇腹状カバー部材１３などから構成されている。
【００１６】
第１の外筒１と第２の外筒２は、プラスチックの成型などで作られたものであり、それらの間に中間シーリング部材８を介して接合され筒体を構成している。第１の外筒１には、その一端（図１において左端）に後述するペン先部４ｂが出入りする開口部１ａが形成されている。また、この第１の外筒１の開口部１ａの内側面１１には凹状の円弧面が形成されている。
【００１７】
シャッター部材３は、プラスチックの成型などで作られたものであり、第１の外筒１の一端に形成された開口部１ａの内側に第１の外筒１の内壁に隣接して配置される。シャッター部材３は、環状部３ａ、環状部３ａに連続して形成された断面略コの字形状の係合部３ｂなどから構成される。また、係合部３ｂの外面、つまり図１において下側面には、ラック部３ｄが形成されている。この環状部３ａの開口部１ａ側の面は、上記内側面１１に対応する凸状の円弧面となっている。
【００１８】
ここで、図３をさらに参照して、シャッター部材３の、第１の外筒１の開口部１ａ側には、エラストマー樹脂やゴムなどの軟質材料層３１が設けられている。なお、図示した例では軟質材料層３１を環状部３ａの略全体に設けたが、シャッター部材３により第１の外筒１の開口部１ａを閉じた状態（図３の状態）において、シャッター部材３の、開口部１ａの外縁に当接ないし接触する部分のみに軟質材料層３１を設ける構成としても良い。すなわち、少なくともこの当接ないし接触する部分に軟質材料層を設ければ足りる。このような軟質材料層３１を設けることで、シャッター部材３と開口部１ａとの密着性が高まり、シャッター部材３による開口部１ａの密閉度が高まる。
【００１９】
シャッター押さえ部材４は、プラスチックの成型などで作られたもので、シャッター部材３の内側に固定ないし固着された状態で配置されている。そして、シャッター押さえ部材４には、第１の外筒１の開口部１ａと連通すると共に筆記部材７の先端部に設けられたペン先７ａが通る開口部４ａ、略中央部に形成されシャッター部材３の係合部３ｂが挿抜される挿抜孔４ｂが、および回転ギア部材６の回転軸部が回動自在に嵌合される環状孔４ｃがそれぞれ形成されている。ここで、シャッター押さえ部材４の第１の外筒１の開口部１ａが形成された端部に隣接する部分は、第１の外筒１内壁面からやや離間している。この離間により形成された空隙ないし空間にシャッター部材３が配置される。
【００２０】
ラック部材５は、プラスチックの成型などで作られたものであり、シャッター部材３およびシャッター押さえ部材６と第１の外筒１の内面との間において、図１で左右方向に移動自在に設けられる。そして、図２をさらに参照して、ラック部材５は、図１において左方向に延在する第１の突出部５ａ、図１において上方向に延在する第２の突出部５ｂ、切欠き部５ｃ、ラック部５ｄ、突起５ｅ、ラック部５ｆなどを有している。
【００２１】
回転ギヤ部材６は、プラスチックの成型などで作られたものであり、上記のようにその回転軸部がシャッター押さえ部材４の上で固定されている。また回転ギア部材６の外周に形成された歯車は、ラック部材５のラック部５ｆ、および筆記部材７に形成されたラック部７ｄと噛み合っている。
【００２２】
ここで、ラック部材５、筆記部材７に形成されたラック部７ｄ、ラック部材５に形成されたラック部５ｄ、回転ギア部材６により、筆記部材７とシャッター部材３を連結するギア機構が構成される。そして、以下に説明するように、ロックレバー部材１２（ノック部材）を移動することで筆記部材７が連動して移動する際、このギア機構を介してシャッター部材３が移動し開口部１ａの開閉が行われる。
【００２３】
筆記部材７は、プラスチックの成型などで作られたものである。そして、先端部に設けられたペン先部７ａ、ペン先部７ａを一端に保持する本体部７ｂ、本体部７ｂの外周端部に設けられた突出片７ｃなどを有している。突出片７ｃには上記のラック部７ｄが形成されている。また本体部７ｄの他端７ｅには、中央にタンク部材１０に連通した開口部が形成されている。そして、タンク部材１０に保持されたインクはこの開口部から本体部７ｂ内側を通ってペン先部７ａに供給される。ここで、ペン先部７ａは、図示例ではマーカー用のものであるが、これに限定されず、その他、サインペン用ペン先や筆ペン用ペン先などの適宜なものを使用可能であることは勿論である。
【００２４】
中間シーリング部材８は、プラスチックの成型などで作られたものであり、略円筒状の部材であり、第１の外筒部材１と第２の外筒部材２との間に設けられ、これら第１および第２の外筒部材１、２を一体的に連結するために使用される。中間シーリング部材８には、中央にリング状の突起８ａが形成されている。また、タンク部材１０の外径と略同じ内径を有する連結用開口部８ｃが中央に形成された底部８ｂが設けられている。
【００２５】
内筒部材９は、プラスチックの成型などで作られたものであり、外筒部２の内側に嵌合されて固定される。そして、係止穴９ａと、係止片９ｂを有している。タンク部材１０は、プラスチックの成型などで作られたものであり、筆記部材７に使用するインクを貯蔵するためのものである。そして、タンク部材１０の外周にはリング状の係止突起１０ａが形成されている。バネ部材１１はプラスチックや金属などで作られたものであり、タンク部材１０のリング状突起１０ａと、中間シーリング部材の底部８ｂの内面との間に圧縮された状態で配置される。
【００２６】
ロックレバー部材１２は、プラスチックの成型などで作られたものであり、内筒部材９の内側において軸長方向つまり図１において左右方向に移動自在に設けられる。このロックレバー部材１２は、ノック部材として機能するものである。即ち、筆記具を使用状態、つまり筆記部材７のペン先部７ａを第１の外筒１の開口部１ａから外側に出す場合には、図１においてロックレバー部材１２を左方向に移動する。この移動により、ロックレバー部材１２に設けられた突起（図示せず）が内筒部材９の係止穴９ａ内を移動する。この突起は自らの弾性によって図１において上方向に付勢された状態にある。そして、この突起が係止穴９ａ内をさらに移動し係止突起９ｂを越えると、突起は弾性により上方に移動し、係止突起９ｂにより係止された状態となる。この係止の解除は、この係止状態からロックレバー部材１２をさらに図１において左方向に移動させることで行われる。
【００２７】
なお、上記の移動は、例えば、筆記具の使用者が筆記具を手で保持した状態において、使用者の親指によりロックレバー部材１２の右端を左方向に押圧することで行う。
【００２８】
蛇腹状カバー部材１３は、プラスチックの成型などで作られたものであり、ロックレバー部材１２の外側に設けられ、またその図１において左端部が第２の外筒２の内周面に挟着などにより固定される。また、この蛇腹状カバー部材１３は、その蛇腹構造によって、図１において左右方向に伸縮自在となっている。このような蛇腹上カバー部材１３を設けることで、第２の外筒２の図１において右側の開口部における密閉性を高めることができる。
【００２９】
以上の構成である実施形態のノック式筆記具の動作を説明する。
図１は筆記具の使用状態を示したものである。この状態では、ロックレバー部材１２が左方向に移動して上記のように係止突起９ｂにより係止される。この状態では、タンク部材１２を介して筆記部材７が左方向に移動し、筆記部材７のペン先部７ａが第１の外筒１の開口部から外側に延出しており、筆記具は使用可能状態、つまりペン先部７ａにより筆記が可能な状態となっている。
【００３０】
また、上記使用可能状態では、筆記部材７の左方向への移動により、回転ギア部材６が図２において時計回りに回転する。この回転運動は、ラック部５ｆが図２においてＩ方向に移動する結果、ラック部材５によってシャッター部材３が図１において右方向に引っ張られ、このため、シャッター部材３が第１の外筒１の開口部１ａの下側に位置し、開口部１ａが開いた状態となる。
【００３１】
一方、ロックレバー部材１２を上記係止状態からさらに左方向に移動させて係止を解除すると、バネ部材１１の弾性により、ロックレバー部材１２は図１において右方向に付勢されて移動する。この移動は係止穴９ａの図１において右端面にロックレバー部材１２の突起（図示せず）が係止されるまで行われる。この時、タンク部材１０を介して筆記部材７も同様に図１において右方向に移動する。すると、この移動によって、回転ギア部材６が図２において反時計回りに回転する。この回転運動に連動してラック部５ｆが図４においてＩＩ方向に移動する結果、ラック部材５によってシャッター部材３が図１において左方向に押され、このため、シャッター部材３の環状部３ａにより第１の外筒１の開口部１ａが閉じられた状態となる。
【００３２】
さらに、この状態において、図３をさらに参照して、ラック部材５の突起５ｅがシャッター押さえ部材４の端部４ｆを図３ないし図１において左方向に押圧する。これにより、シャッター押さえ部材４がシャッター部材３を図３ないし図１において左方向に押圧する結果、シャッター部材３の環状部３ａが第１の外筒１の開口部１ａの内面に強く押されて両者の密着度が高められ、この密着部の気密性が格段に向上する。
【００３３】
以上、好ましい実施形態を説明したが、上記の例は本発明の好ましい実施形態を例示したものにすぎず、形状、構造、などは当業者が適宜に変更可能なものである。
【図面の簡単な説明】
【００３４】
【図１】本発明の筆記具の実施形態の説明図である。
【図２】図１の実施形態の要部の説明図である。
【図３】図１の実施形態においてシャッター部材により第１の筒体の開口部が閉じられた状態の説明図である。
【符号の説明】
【００３５】
１  第１の外筒
２  第２の外筒
３  シャッター部材
４  シャッター押さえ部材
５  ラック部材
６  回転ギア部材
７  筆記部材
【図１】
2005246889.tif 000003
【図２】
2005246889.tif 000004
【図３】
2005246889.tif 000005